(57)【要約】本発明はスマートフィルムスクリーンを利用した広告ディスプレイシステムに関するものであり、より具体的には、ビデオプロジェクターが動作すれば、広告が表示されるようにスマートフィルムに電源を供給して、不透明な状態に変化した後、広告映像を上映し、普段は通常の透明なショーウィンドウの状態で提供して、顧客の広告認知を高め、広告効果を最大化させることができるスマートフィルムスクリーンを利用した広告ディスプレイシステムに関するものである。【選択図】図１
2018518694.tif 000002
【特許請求の範囲】
【請求項１】
広告ディスプレイシステムにおいて、
広告映像信号を投射するためのビデオプロジェクター（１００）と、
電源の提供時に不透明になり、前記ビデオプロジェクターから提供された広告を上映し、電源の未提供時に透明状態であるショーウィンドウの状態になるようにするためのスマートフィルムが付着したスクリーン（２００）と、
ユーザー広告製作装置から提供された広告映像情報と広告映像のスケジュール情報とを保存している広告映像情報保存部（３１０）と、前記広告映像スケジュール情報を参照して、該当広告映像の上映時間の場合、前記ビデオプロジェクターおよび前記スマートフィルムに電源のオン信号を送出するための電源信号処理部（３２０）と、を含んで構成される広告ディスプレイコントロールボックス（３００）と、
広告テンプレートイメージを保存している広告テンプレート保存部（４１０）と、前記広告テンプレート保存部に保存されている広告テンプレートイメージを取得して画面に提供して広告テンプレートの編集を実行するための広告エディター（４２０）と、前記広告エディターを使用して編集した広告テンプレート情報を前記広告ディスプレイコントロールボックスに提供するための編集広告映像情報提供部（４３０）と、を含んで構成され、前記ビデオプロジェクターおよびスマートフィルムのオン・オフの時間を設定して前記広告ディスプレイコントロールボックスに提供するためのユーザー広告製作装置（４００）と、
前記スマートフィルムが付着したスクリーン（２００）周辺にインストールされて通過する人の顔を撮影するためのカメラ部（５００）と、
前記カメラ部により撮影された顔のイメージを使用して、性別及び年齢を分析するためのターゲット分析部（６１０）と、前記分析した性別及び年齢の情報を前記広告ディスプレイコントロールボックス（３００）に提供するための分析情報提供部（６２０）と、前記スマートフィルムが付着したスクリーン（２００）のサイズを参照して広告映像が表出される領域を割り当てるための広告映像割り当て部（６３０）と、前記カメラ部に人の顔が撮影されている時点から人の歩幅速度を計算して、該当速度に合わせて前記広告映像割り当て部により割り当てられた領域へシナリオの広告映像情報を提供するためのシナリオ広告画像処理部（６４０）と、通行人が着用している服の形態を分析して、社会階層を分類するための社会階層分類部と、前記分類される社会的な階層に適合する広告情報を抽出するための社会階層別広告情報抽出部と、を含んで構成されるオーダーメード広告要請装置（６００）と、を含んで構成され、
前記広告エディター（４２０）は、 
前記広告テンプレート保存部に保存されている広告テンプレートリスト情報を取得するための広告テンプレートリスト取得モジュール（４２１）と、
ユーザーのスマートフォンから写真や動画情報を取得するためのユーザー提供コンテンツ取得モジュール（４２２）と、
前記広告テンプレートリスト取得モジュールから取得した広告テンプレートリスト情報を画面に表示し、ユーザーによって選択された広告テンプレートを抽出して、画面に表示した後、設定したレイアウトに前記ユーザー提供コンテンツ取得モジュールによって取得した写真や動画をマッチングさせて広告コンテンツを製作するための広告製作モジュール（４２３）と、
前記制作された広告コンテンツのスケジュールを設定するための広告コンテンツスケジュール設定モジュール（４２４）、とを含んで構成されることを特徴とするスマートフィルムスクリーンを利用した広告ディスプレイシステム。
【発明の詳細な説明】
【技術分野】
【０００１】
本発明はスマートフィルムスクリーンを利用した広告ディスプレイシステムに関するものであり、より具体的には、ビデオプロジェクターが動作すれば、広告が表示されるようにスマートフィルムに電源を供給して、不透明な状態に変化した後、広告映像を上映し、普段は通常の透明なショーウィンドウの状態で提供して、顧客の広告認知を高め、広告効果を最大化させることができるスマートフィルムスクリーンを利用した広告ディスプレイシステムに関するものである。
【背景技術】
【０００２】
従来の広告方式の中で、透明なガラス部分にポスター広告を付着する方法があるし、この方式は、ポスター広告のために、内部から外側を見ることができない。また、外部からも同様に内部を見ることができない問題があった。
【０００３】
また、単に停止されている広告映像を表示する方式であるために、広告効果が微弱であり、美観が良くなくて、通過する通行人たちに良い印象を与えなかった。
【０００４】
したがって、前記ような問題を解決して、顧客の広告認知を高め、広告効果を最大化させることができる技術を提供するようになった.
【先行技術文献】
【特許文献】
【０００５】
【特許文献１】韓国登録特許第１０-０７６７７０９号公報
【発明の概要】
【発明が解決しようとする課題】
【０００６】
したがって、本発明は、上記のような従来技術で発生する問題を解消するためのもので、発明の目的は、ビデオプロジェクターが動作すれば、広告が表示されるようにスマートフィルムに電源を供給して、不透明な状態に変化した後、広告映像を上映し、普段は通常の透明なショーウィンドウの状態で提供して、顧客の広告認知を高め、広告効果を最大化させることができるスマートフィルムスクリーンを利用した広告ディスプレイシステムの提供にある。
【０００７】
発明の他の目的は、広告を希望するユーザーが独自に製作した広告映像をスマートフィルムが付着したスクリーンに提供することによって、一つ一つ広告制作会社に広告依頼する必要なく、モバイルアプリケーションやウェブサービスを通じてリアルタイムで広告のスケジュール管理や施設のオン・オフなどを実行できるスマートフィルムスクリーンを利用した広告ディスプレイシステムの提供にある。
【０００８】
発明のさらに他の目的は、通過する通行人に合わせて広告を行うようにすることによって、カメラを通じて取得した通行人の映像を分析して、これを根拠に分析されたデータによるオーダーメード広告を提供することができるスマートフィルムスクリーンを利用した広告ディスプレイシステムの提供にある。 
【課題を解決するための手段】
【０００９】
本発明の解決課題を達成するために、
本発明の第１の実施例によるスマートフィルムスクリーンを利用した広告ディスプレイシステムは、
広告映像信号を投射するためのビデオプロジェクター１００と、
電源の提供時に不透明になり、前記ビデオプロジェクターから提供された広告を上映し、電源の未提供時に、透明状態であるショーウィンドウの状態になるようにするためのスマートフィルムが付着したスクリーン２００と、
前記ビデオプロジェクターにユーザーにより製作された広告映像情報を設定した広告映像のスケジュールに応じて提供し、設定されている広告映像のスケジュールによって前記ビデオプロジェクターおよび前記スマートフィルムに電源のオン・オフ制御を実行するための広告ディスプレイコントロールボックス３００と、
ユーザーにより広告映像を製作するように広告エディターを提供し、前記広告エディターを通じて最終完成された広告映像情報を前記広告ディスプレイコントロールボックスに提供し、前記ビデオプロジェクターおよび前記スマートフィルムのオン・オフの時間を設定して前記広告ディスプレイコントロールボックスに提供するためのユーザー広告製作装置４００と、を含んで構成することによって、本発明の課題を解決することになる。
【発明の効果】
【００１０】
本発明によるスマートフィルムスクリーンを利用した広告ディスプレイシステムは、ビデオプロジェクターが動作すれば、広告が表示されるようにスマートフィルムに電源を供給して、不透明な状態に変化した後、広告映像を上映し、普段は通常の透明なショーウィンドウの状態で提供して、顧客の広告認知を高め、広告効果を最大化させることができる。
【００１１】
また、広告を希望するユーザーが独自に製作した広告映像をスマートフィルムが付着したスクリーンに提供することによって、一つ一つ広告制作会社に広告依頼する必要なく、モバイルアプリケーションやウェブサービスを通じてリアルタイムで広告のスケジュール管理や施設のオン・オフなどを実行できる効果を提供することになる。
【図面の簡単な説明】
【００１２】
【図１】本発明の第１の実施例に基づくスマートフィルムスクリーンを利用した広告ディスプレイシステムの全体の構成図である。
【図２】本発明の第１の実施例に基づくスマートフィルムスクリーンを利用した広告ディスプレイシステムの広告ディスプレイコントロールボックスのブロック図である。
【図３】本発明の第１の実施例に基づくスマートフィルムスクリーンを利用した広告ディスプレイシステムのユーザー広告製作装置のブロック図である。
【図４】本発明の第１の実施例に基づくスマートフィルムスクリーンを利用した広告ディスプレイシステムのオーダーメード広告要請装置のブロック図である。
【図５】本発明の第２の実施例に基づくスマートフィルムスクリーンを利用した広告ディスプレイシステムの全体の構成図である。
【図６】本発明の他の第１の実施例に基づくスマートフィルムスクリーンを利用した広告ディスプレイシステムの広告エディターによって作り出された広告コンテンツの例示図である。
【図７】広告エディターのブロック図である。
【発明を実施するための形態】
【００１３】
以下、本発明によるスマートフィルムスクリーンを利用した広告ディスプレイシステムの実施例を使って詳しく説明するようにする。
【００１４】
図１は本発明の第１の実施例に基づくスマートフィルムスクリーンを利用した広告ディスプレイシステムの全体の構成図である。
【００１５】
図１に図示されたように、本発明のシステムは主として、ビデオプロジェクター１００と、スマートフィルムが付着したスクリーン２００と、広告ディスプレイコントロールボックス３００と、ユーザー広告製作装置４００とを含んで構成する。
【００１６】
前記ビデオプロジェクター１００は、広告映像信号を投射するための機能を実行するが、たとえば、ビームプロジェクターまたはスマートプロジェクターなどである。
【００１７】
前記スクリーン２００は、スマートフィルムが付着されていることを特徴とする。その動作は、電源が提供される場合、スクリーンを不透明にして映像の投射機から提供されている広告物を上映することができるし、電源が提供されない場合、透明状態にしてショーウィンドウの状態になる。
【００１８】
よって、通過する顧客に広告の露出によって知覚できるようにすることによって、顧客の広告認知を高め、広告効果を最大化させることができる。
【００１９】
その動作を簡単に説明すれば、ビデオプロジェクターが作動する場合、広告画像が表示され、スマートフィルムを提供して、フィルムに付着しているスクリーンが不透明な状態に変化しながら、広告が上映されるが、普段は透明な状態の一般的なショーウィンドウの状態になる。
【００２０】
つまり、広告が開始されると、ショーウィンドウが不透明になり、広告物が上映されることになる。
【００２１】
この時、前記広告ディスプレイコントロールボックス３００は、ビデオプロジェクターにユーザーによって製作された広告映像情報を設定した広告映像のスケジュールに従って提供することになる。
【００２２】
つまり、ユーザーが独自に製作した広告映像情報を、ユーザーが独自に設定した広告映像のスケジュールに応じて提供することになる。
【００２３】
また、設定されている広告映像のスケジュールによって、前記ビデオプロジェクターおよびスマートフィルムに電源のオン・オフ制御を実行することになる。
【００２４】
つまり、午前１０時から１２時まで広告１を上映するように設定すると、午前１０時にビデオプロジェクターおよびスマートフィルムへの電源供給の信号を送出することになる。
【００２５】
一方、本発明の特徴のもう１つは、ユーザーが直接制作する方法により広告映像を提供することになる。
【００２６】
このために、ユーザー広告製作装置４００を構成することになる。前記ユーザー広告製作装置４００は、ユーザーにより広告を製作するために広告エディターを提供し、広告エディターによって最終完成された広告映像情報を前記広告ディスプレイコントロールボックスに提供することになる。
【００２７】
また、広告映像情報を表示するためのオン・オフの時間をユーザーが直接設定することになる。
【００２８】
つまり、前記ビデオプロジェクターおよび前記スマートフィルムのオン・オフの時間を設定して前記広告ディスプレイコントロールボックスへ提供するための機能を実行することになる。
【００２９】
一方、本発明の第２の実施例によるづくシステムは、
スマートフィルムが付着したスクリーン２００周辺にインストールされて通過する人の顔を撮影するためのカメラ部５００と、
前記カメラにより撮影された顔のイメージを使用して、性別及び年齢を分析して、分析された性別及び年齢の情報を広告ディスプレイコントロールボックス３００に提供するためのオーダーメード広告要請装置６００を含んで構成されることを特徴とする。
【００３０】
この時、細部的に前記オーダーメード広告要請装置６００は、
前記カメラ部により撮影された顔のイメージを使用して、性別及び年齢を分析するためのターゲット分析部６１０と、
前記分析した性別及び年齢の情報を広告ディスプレイコントロールボックス３００に提供するための分析情報提供部６２０と、
スマートフィルムが付着したスクリーン２００のサイズを参照して広告映像が表出される領域を割り当てるための広告映像割り当て部６３０と、
前記カメラ部に人の顔が撮影されている時点から人の歩幅速度を計算して、速度に合わせて前記広告映像割り当て部により割り当てられた領域へシナリオの広告映像情報を提供するためのシナリオ広告画像処理部６４０と、を含んで構成されることを特徴とする。
【００３１】
この時、前記広告ディスプレイコントロールボックス３００は、性別及び年齢別の広告映像情報とシナリオの広告映像情報とを保存していることを特徴とする。
【００３２】
そして、前記広告ディスプレイコントロールボックスは、広告を専用的にディスプレイさせるための専用のコントロールボックスである。
【００３３】
この時、前記広告ディスプレイコントロールボックス３００とビデオプロジェクターとの間の通信は、近距離無線通信を使用することを特徴とする。
【００３４】
そして、細部的に前記広告ディスプレイコントロールボックス３００は、
ユーザー広告製作装置から提供される広告映像情報と広告映像スケジュール情報とを保存している広告映像情報保存部３１０と、前記広告映像スケジュール情報を参照して、該当該当広告映像の上映時間の場合、前記ビデオプロジェクターおよび前記スマートフィルムに電源のオン信号を送出するための電源信号処理部３２０とを含んで構成されることを特徴とする。
【００３５】
この時、細部的に前記ユーザー広告製作装置４００は、
広告テンプレートイメージを保存するための広告テンプレート保存部４１０と、
前記広告テンプレート保存部に保存されている広告テンプレートイメージを取得して画面に提供し、広告テンプレートの編集を実行するための広告エディター４２０と、
前記広告エディターを使用して編集した広告テンプレート情報を広告ディスプレイコントロールボックスへ提供するための編集広告映像情報提供部４３０と、を含んで構成されることを特徴とする。
【００３６】
前記カメラ部５００は、スマートフィルムが付着されたスクリーン２００周辺にインストールされて通過する人の顔を撮影することになる。
【００３７】
この時、前記オーダーメード広告要請装置６００によりカメラを使って撮影された顔のイメージを使用して、性別及び年齢を分析し、分析された性別及び年齢の情報を広告ディスプレイコントロールボックス３００に提供することになる。
【００３８】
これは顧客の性別及び年齢の分析を使用してターゲット広告を実行するためである。
【００３９】
図２は本発明の第１の実施例に基づくスマートフィルムスクリーンを利用した広告ディスプレイシステムの広告ディスプレイコントロールボックスのブロック図である。
【００４０】
図２に図示されたように、本発明の広告ディスプレイコントロールボックス３００は、ユーザー広告製作装置から提供される広告映像情報と広告映像スケジュール情報を保存している広告映像情報保存部３１０と、前記広告映像スケジュール情報を参照して、該当広告映像の上映時間の場合、ビデオプロジェクターおよびスマートフィルムに電源のオン信号を送出するための電源信号処理部３２０とを含んで構成されることを特徴とする。
【００４１】
前記電源信号処理部３２０は、前記広告映像情報保存部３１０に保存されている広告映像スケジュール情報を参照して、該当広告映像の上映時間の場合、ビデオプロジェクターおよびスマートフィルムに電源のオン信号を送出する機能を実行することになる。
【００４２】
前記広告ディスプレイコントロールボックスをビデオプロジェクターに結合させることができる。たとえば、ＵＳＢを使用してビデオプロジェクターのポートに接続するように構成することができる。また、スマートフォンに搭載されているモバイルアプリで提供することができる。
【００４３】
一方、付加的な態様によるターゲット広告を実行するために、前記広告ディスプレイコントロールボックス３００は、性別及び年齢別の広告映像情報とシナリオの広告映像情報とを保存していることを特徴とする。
【００４４】
つまり、性別及び年齢が分析されると、その情報を取得してこれにマッチングする広告情報を抽出して、上映することになる。
【００４５】
一方、前記広告ディスプレイコントロールボックス３００とビデオプロジェクターとの間の通信は、近距離無線通信を使用することを特徴とする。
【００４６】
望ましくは、Ｗｉ−Ｆｉ（ワイファイ）通信を使用する。
【００４７】
図３は、本発明の第１の実施例に基づくスマートフィルムスクリーンを利用した広告ディスプレイシステムのユーザー広告製作装置のブロック図である。
【００４８】
図３に図示されたように、前記ユーザー広告製作装置４００は、広告テンプレート保存部４１０と、広告エディター４２０と、編集広告映像情報提供部４３０と、を含んで構成する。
【００４９】
前記広告テンプレート保存部４１０は、広告テンプレートイメージを保存しており、リアルタイムで広告を提供する業体から情報を取得して保存することになる。
【００５０】
この時、前記広告エディター４２０は、広告テンプレート保存部に保存されている広告テンプレートイメージを取得してユーザーが接続している端末の画面に提供して、広告テンプレートの編集を実行することである。
【００５１】
たとえば、ユーザーが希望するテンプレートを選択した場合、 該当イメージを画面に表示するようになり、ユーザーが簡単な修正(テキスト、イメージの順序変更、効果など)を実行できるようにする。
【００５２】
この時、前記編集広告映像情報提供部４３０は、広告エディターにより編集された広告テンプレート情報を最終的に取得して広告ディスプレイコントロールボックスに提供することになる。
【００５３】
図７に図示されたように、本発明の第１の実施例に基づく前記広告エディター４２０は、 
前記広告テンプレート保存部に保存されている広告テンプレートリスト情報を取得するための広告テンプレートリスト取得モジュール４２１と、
ユーザーのスマートフォンから写真や動画情報を取得するためのユーザー提供コンテンツ取得モジュール４２２と、
前記広告テンプレートリスト取得モジュールから取得した広告テンプレートリスト情報を画面に表示し、ユーザーによって選択された広告テンプレートを抽出して、画面に表示した後、設定したレイアウトに前記ユーザー提供コンテンツ取得モジュールによって取得した写真や動画をマッチングさせて広告コンテンツを製作するための広告製作モジュール４２３と、
前記制作された広告コンテンツのスケジュールを設定するための広告コンテンツスケジュール設定モジュール４２４とを含んで構成されることを特徴とする。
【００５４】
前記広告テンプレートリスト取得モジュールは、前記広告テンプレート保存部に保存されている広告テンプレートリスト情報を取得して、ユーザーのスマートフォンに該当テンプレートリストを提供しており、コンピューター端末やスマートフォンなどを使用してユーザーが特定のテンプレートを選択した場合、 該当選択情報を取得することになる。
【００５５】
つまり、ウェブサービスが可能なすべての端末を使用して特定のテンプレートリスト情報を取得し、該当端末を使用して様々な編集を実行することになる。
【００５６】
一方、本発明の好ましい実施例では、スマートフォンを使用する場合に、ユーザーがスマートフォンを使用して直接撮影した写真や動画の情報を、ユーザー提供コンテンツ取得モジュールから取得した場合、前記広告製作モジュールは、設定されたレイアウトに前記ユーザー提供コンテンツ取得モジュールにより取得した写真や動画をマッチングさせて広告コンテンツを制作することになる。
【００５７】
この時、スマートフォンの代わりに、たとえば、コンピューター端末を使用してスマートフォンから提供された写真や動画の情報をユーザーが選択したテンプレートの設定されているレイアウトにマッチングさせることになる。
【００５８】
つまり、図６に図示されたように、実際にユーザーが撮影した画像をテンプレートの特定のレイアウトにマッチングして提供することになる。
【００５９】
この時、前記広告コンテンツスケジュール設定モジュールを使用して製作された広告コンテンツのスケジュールを設定することになる。
【００６０】
たとえば、平日の午前９時〜１１時まで広告を表示するスケジュール情報を広告ディスプレイコントロールボックス３００に提供することになる。
【００６１】
広告制作のプロセスを簡単に説明すると、予めスマートフォンに搭載されているアプリケーションを使用して事業主が直接モバイルアプリケーションを使用して直接写真や動画を撮影する。
【００６２】
以後、携帯電話の写真や動画が広告エディターに自動的にアップロードされ、複数のテンプレートのいずれかを選択してそのまま使用するか、または自身が撮影した写真や動画を挿入することができる。
【００６３】
以後、テンプレートのテキストを修正することになる。前記テンプレート内のテキストの修正技術は公知技術であるため、詳しい説明は省略する。
【００６４】
この時、画像や動画テンプレートなどのような希望する多数のテンプレートを作ることができる。
【００６５】
以後、テンプレートの順序および上映時間を設定し、目的の広告が完成したら、最後に保存することになる。
【００６６】
以降、上映のスケジュールを設定すると、最終的に事業主が広告コンテンツの制作を完了することになる。
【００６７】
以降、前記広告エディターに保存されている広告コンテンツが広告ディスプレイコントロールボックスに自動的にアップロードされ、スケジュールに従って、広告ディスプレイコントロールボックスでは、広告コンテンツを上映することになる。
【００６８】
上記のように構成された場合、専門の広告業者に直接依頼する必要がなく誰でも簡単に広告映像を制作し、これを広告に活用することができる。これにより広告映像制作のコストを大幅に減らすことができるし、独自の感性と広報戦略に合った広告をビジネスに連係することによって、広告効果を最大化することができる。
【００６９】
図４は本発明の第１の実施例に基づくスマートフィルムスクリーンを利用した広告ディスプレイシステムのオーダーメード広告要請装置のブロック図である。
【００７０】
図４図示されたように、前記オーダーメード広告要請装置６００は、ターゲット分析部６１０と、 分析情報提供部６２０と、 広告映像割り当て部６３０と、 シナリオ広告画像処理部６４０とを含んで構成される。
【００７１】
前記ーゲット分析部６１０は、カメラ部を使用して撮影された画像中の顔の部分を抽出して、該当顔のイメージを利用して、性別及び年齢を分析して、性別及び年齢を推定することになる。
【００７２】
この時、前記分析情報提供部６２０は、分析された性別及び年齢の情報を広告ディスプレイコントロールボックス３００に提供することになる。
【００７３】
最終的に、前記広告ディスプレイコントロールボックスでは、保存されている広告映像リストの中から前記性別及び年齢情報とマッチングすることができる広告映像を抽出するための広告映像抽出部をさらに含んで構成することができる。
【００７４】
この時、該当性別及び年齢情報とマッチングすることができる広告映像を抽出することができない場合、前記広告映像抽出部は、ユーザー広告製作装置に、分析されたの性別および年齢情報を提供し、ユーザー広告製作装置から該当告映像情報を取得するための広告映像要請部を広告ディスプレイコントロールボックスで、さらに含むように構成することができる。
【００７５】
また、前記ユーザー広告製作装置は、広告の提携を結んだ広告提携端末の情報を保存しており、複数の広告提携端末に前記分析された性別および年齢情報を提供する場合に策定されている広告費を含んで広告提携端末へ送出することになる。
【００７６】
一方、前記広告映像割り当て部６３０は、スマートフィルムが付着したスクリーン２００のサイズを参照して広告が表示される領域を割り当てることになる。
【００７７】
つまり、全体の水平方向の長さが９メートルである場合、３メートル単位で領域を割り当てることになる。
【００７８】
この時、前記シナリオ広告画像処理部６４０は、カメラ部に人の顔が撮影される時点から人の歩幅速度を計算することになる。
【００７９】
前記計算された歩幅速度に基づいて、前記広告映像の割り当て部によって割り当てられた領域へシナリオの広告映像情報を提供することになる。
【００８０】
たとえば、第１領域にＡの広告を上映し、前記第１の領域を超えた時点で第２領域に人が進入するようになれば、Ｂの広告を上映し、再度第２領域を超えた時点で第３領域に人が進入すれば、Ｃの広告を上映することになる。
【００８１】
したがって、顧客が広告を認識することができる確率を高めることができる。
【００８２】
一方、付加的な態様によって、前記オーダーメード広告要請装置は、   通行人が着用している服の形態を分析して、社会階層を分類するための社会階層分類部と、
前記分類される社会的な階層に適合する広告情報を抽出するための社会階層別広告情報抽出部と、をさらに含んで構成される。
【００８３】
すなわち、リアルタイムで通過する通行人の服の形以外に服の色などを分析すれば、流行や季節に敏感な程度を仮定することができる。これにより、革新的な消費者、早期受容者、早期多数者、後期多数者、及び後期受容者であるかを推測できるようになる。
【００８４】
たとえば、革新的な消費者と仮定した場合、通常、教育レベル及び収入レベルが高く、社会的な活動が活発な消費者である可能性が高いので、比較的新製品や高価な製品の消費も気軽に受容することができる。これによって、適切なマーケティング戦略を実行できるようになる、
【００８５】
したがって、革新的な消費者に適合する広告情報を抽出してリアルタイムで広告を提供することができる。
【００８６】
一方、他の付加的な態様によって、前記オーダーメード広告要請装置は、通行人の外形分析を実行して、近所の住民の有無を判断するための通行人外形分析部、をさらに追加して構成することができる。
【００８７】
つまり、通行人の顔のイメージを通じて顔の認識を実行して、以前のメモリ(図示せず)に保存されている顔の認識情報と比較して一致した場合は、近所の住民である可能性が高くなる。
【００８８】
したがって、近所の住民である場合、近所の周りの店から依頼された広告情報を抽出し、リアルタイムで広告を提供できるようになる。
【００８９】
図５は本発明の第２の実施例に基づくスマートフィルムスクリーンを利用した広告ディスプレイシステムの全体構成図である。 
【００９０】
図５に図示されたように、本発明の第２の実施例によるシステムは、
映像を投射するためのビデオプロジェクター１００と、
前記ビデオプロジェクターの側面に設置された通信ポート１１０と、
前記通信ポートにはめて接続設置されたプロジェクターの広告専用コントロール装置７００と、
前記プロジェクターの広告専用コントロール装置に映像を提供し、外部通行人の映像を収集するためのカメラ５００と、
前記ビデオプロジェクターの映像を映すためのスクリーン２００とを含んで構成されることを特徴とする。
【００９１】
前記のような構成は、プロジェクターの広告専用コントロール装置と呼ばれる携帯用プロジェクター型広告専用のコントロール装置を使用して容易に広告を提供できる構成手段を提供する例示である。
【００９２】
このために、前記プロジェクターの広告専用コントロール装置７００は、
ワイファイ通信を通じて無線共有機と通信する無線通信部７１０と、
広告コンテンツを保管する広告コンテンツデータベース７２０と、
サーバーに広告コンテンツをダウンロードするために要請するサーバー要請部７３０と、
外部の映像を取得するためのカメラ接続部７４０と、
通過する通行人の映像を捕促する映像捕促部７５０と、
捕促された映像を分析して、映像情報を分析する映像情報分析部７６０と、
ビデオプロジェクターのオン・オフを担当するプロジェクター電源コントロール部７７０と、
前記ビデオプロジェクターのオン・オフのスケジュールを保存するスケジュール保存部７８０と、
前記広告コンテンツをビデオプロジェクターに出射するための画面チェンジを調整する画面調整部７９０と、
前記ビデオプロジェクターに接続されるビデオプロジェクター接続部７９５とを含んで構成されることを特徴とする。
【００９３】
具体的に説明すると、前記ビデオプロジェクター接続部７９５によってビデオプロジェクターとの接続を実行することになる。
【００９４】
前記無線通信部７１０は、ワイファイ通信を通じて無線共有機と通信する機能を実行するが、サーバーと通信して、広告コンテンツを要求することになる。
【００９５】
このために、前記広告コンテンツデータベース７２０には、広告コンテンツを保管することになり、サーバー要請部７３０を通じてサーバーに広告コンテンツを要請することになる。
【００９６】
一方、前記カメラ接続部７４０は、カメラの映像を取得するために構成され、前記映像捕促部７５０は通過する通行人の映像を捕促することになる。
【００９７】
この時、前記映像情報分析部７６０により捕促された映像情報を分析することになる。
【００９８】
また、前記プロジェクター電源コントロール部７７０は、ビデオプロジェクターのオン・オフを担当するが、通行人の映像をキャプチャした場合に信号を提供したり、オン・オフのスケジュールに応じて信号を提供することになる。
【００９９】
このために、前記スケジュール保存部７８０は、前記ビデオプロジェクターのオン・オフのスケジュールを保存することになる。
【０１００】
また、前記画面調整部７９０は、広告コンテンツをビデオプロジェクターに出射するための画面チェンジを調整する機能を実行するが、Ａの広告が上映されるようになり、スケジュールによって、Ｂの広告に変換する必要がある時間であれば、前記画面調整部により出射される画面をチェンジすることになる。
【０１０１】
また、分析された通行人の情報に基づいて広告を変更する機能も実行できるようになる。
【０１０２】
以上では本発明を実施例によって詳細に説明したが、本発明は実施例によって限定されず、本発明が属する技術分野において通常の知識を有するものであれば本発明の思想と精神を離れることなく、本発明を修正または変更できるであろう。
【産業上の利用可能性】
【０１０３】
本発明は、ビデオプロジェクターが動作すれば、広告が表示されるようにスマートフィルムに電源を供給して、不透明な状態に変化した後、広告映像を上映し、普段は通常の透明なショーウィンドウの 状態で提供して、顧客の広告認知を高め、広告効果を最大化させることができる広告およびディスプレイの分野に有用に活用することができる。
【符号の説明】
【０１０４】
１００  ビデオプロジェクター
２００  スマートフィルムが付着したスクリーン
３００  広告ディスプレイコントロールボックス
４００  ユーザー広告製作装置
５００  カメラ部
６００  オーダーメード広告要請装置
７００  プロジェクターの広告専用コントロール装置
【図１】
2018518694.tif 000003
【図２】
2018518694.tif 000004
【図３】
2018518694.tif 000005
【図４】
2018518694.tif 000006
【図５】
2018518694.tif 000007
【図６】
2018518694.tif 000008
【図７】
2018518694.tif 000009
【国際調査報告】
2018518694.tif 000010
2018518694.tif 000011
2018518694.tif 000012
2018518694.tif 000013